(57)【要約】【課題】操作メニューを使用せずに多くの情報を表示する表示装置、表示方法および表示プログラムを提供することにある。【解決手段】本発明の表示装置は、情報表示部と、操作部と、操作内容を取得する操作情報取得部と、表示画面に表示している表示情報とその配置に関する情報を取得する画面情報取得部と、表示情報記憶部と、操作内容と、操作が行われた表示画面領域に関する情報と、に基づき、表示画面に表示する情報とその配置を決定する表示情報決定部を備え、表示情報は階層構造の情報を含み、所定の階層を選択し、階層に属する１以上のすべての表示情報をウィンドウとして、すべてが同時閲覧可能に表示し、あるいはウィンドウとして入れ替え可能に重ねて表示し、入れ替わることを特徴とする。【選択図】図１
2014130407.tif 000002
【特許請求の範囲】
【請求項１】
情報表示部と、
操作部と、
前記操作部による操作の内容を取得する操作情報取得部と、
前記情報表示部の表示画面に表示している表示情報とその配置に関する情報を取得する画面情報取得部と、
表示情報を格納する表示情報記憶部と、
前記操作の内容と、前記操作が行われた前記表示画面領域に関する情報と、に基づき、前記表示情報記憶部に格納された表示情報のうち前記表示画面に表示する情報とその配置を決定する表示情報決定部を備える表示装置であって、
前記表示情報は階層構造の情報を含み、
前記表示情報決定部は所定の階層を選択し、前記階層に属する１以上のすべての前記表示情報をウィンドウとして、すべてが同時閲覧可能に表示し、
あるいはウィンドウとして入れ替え可能に重ねて表示し、前記操作部の入替操作によって、前記ウインドウが入れ替わる、ことを特徴とする表示装置。
【請求項２】
前記表示情報決定部は、前記操作部の切替操作によって、最前部の前記ウインドウを選択し、前記切替操作後の前記入替操作によって、当該ウインドウに関連付いている上位もしくは下位の階層の前記表示情報を前記ウィンドウとして表示する
ことを特徴とする請求項１に記載の表示装置。
【請求項３】
前記表示情報決定部は当該ウインドウに関連付いている上位または下位あるいはその両方の前記表示情報が存在することを示すアイコンを表示する
ことを特徴とする請求項１乃至請求項２のいずれかに記載の表示装置。
【請求項４】
前記表示情報決定部は表示する前記表示情報における任意の前記表示情報が選択可能な前記階層構造の情報と、
前記ウインドウに表示している表示情報の階層および構成が確認できる情報と、
前記切替操作が実行中か否か、が判断できる情報の少なくとも１つを
を表示する
ことを特徴とする請求項１乃至請求項３のいずれかに記載の表示装置。
【請求項５】
階層構造を有する表示情報を表示画面上に表示させる表示方法であって、
前記表示画面に対して実行された操作の内容を取得し、
前記操作が実行された表示画面上の領域に関する情報を取得し、
前記操作の内容および前記領域に関する情報の基づき、所定の階層を選択し、前記階層に属する１以上のすべての前記表示情報をウィンドウとしてすべてを同時閲覧可能に表示しあるいはウィンドウとして入れ替え可能に重ねて表示し、当該ウインドウを入れ替えて表示する表示方法。
【請求項６】
最前部の前記ウインドウを選択し、当該ウインドウに関連付いている上位もしくは下位の階層の前記表示情報を前記ウィンドウとして表示する
ことを特徴とする請求項５に記載の表示方法。
【請求項７】
前記ウインドウの上位または下位あるいはその両方に前記表示情報が存在することを示すアイコンを表示する
ことを特徴とする請求項５乃至請求項６のいずれかに記載の表示方法。
【請求項８】
前記表示情報における任意の前記表示情報が選択可能な前記階層構造の情報と、
前記ウインドウに表示している表示情報の階層および構成が確認できる情報と、
所定の操作が実行中か否かが確認できる情報の少なくとも１つを
を表示する
ことを特徴とする請求項５乃至請求項７のいずれかに記載の表示方法。
【請求項９】
階層構造を有する表示情報を表示画面上に表示させる表示プログラムであって、
前記表示画面に対して実行された操作の内容を取得する処理と、
前記操作が実行された表示画面上の領域に関する情報を取得する処理と、
前記操作の内容および前記領域に関する情報の基づき、所定の階層を選択し、前記階層に属する１以上のすべての前記表示情報をウィンドウとしてすべてを同時閲覧可能に表示する処理、あるいはウィンドウとして入れ替え可能に重ねて表示し、当該ウインドウを入れ替えて表示する処理と、
をコンピュータに実行させる表示プログラム。
【請求項１０】
最前部の前記ウインドウを選択し、当該ウインドウに関連付いている上位もしくは下位の階層の前記表示情報を前記ウィンドウとして表示する処理をコンピュータに実行させる
ことを特徴とする請求項９に記載の表示プログラム。
【発明の詳細な説明】
【技術分野】
【０００１】
本発明は、多くの情報の表示技術に関する。
【背景技術】
【０００２】
近年、情報処理装置や通信装置などの進歩により、パソコンなどの表示画面で多くの情報を表示し、閲覧することが可能となってきている。
【０００３】
特許文献１には、タブ型ウエブブラウザと、複数のサブウインドウと、をメインウインドウの枠内に配置することで、多くの情報を表示し、ホイールマウスのホイール操作により、タブの切替や複数のサブウインドウ（表示および操作領域）に対するアクティブ領域（操作可能領域）の切替を行う、装置ならびに方法およびシステムが開示されている。
【０００４】
特許文献２には、情報である画像の一部を重ねて、複数の画像を表示することで、多くの画像を表示し、画像を前後に移動させて、閲覧する、装置、方法およびコンピュータプログラムが開示されている。
【先行技術文献】
【特許文献】
【０００５】
【特許文献１】特開２００６−１０７０７９
【特許文献２】特開２００７−１５７１４５
【発明の概要】
【発明が解決しようとする課題】
【０００６】
しかしながら、多くの情報を閲覧するには、閲覧専用の操作メニューが必要だったり、多くの操作が必要だったり、して、全ての情報を表示し、閲覧するには手間がかかった。
【０００７】
特許文献１は、メインウインドウの枠の大きさで、表示できる情報の最大量が制限され、個々のサブウインドウにおいて枠外となった情報は、サブウインドウをアクティブ領域とし、スクロールバーを操作して、表示し、閲覧する必要があった。
【０００８】
特許文献２は、画像を縮小して、全体を表示しているため、仮に多くの文字からなる画像であった場合、文字がつぶれて文字が読めなくなる可能性があった。また、階層構造をなす情報が、表示している画像の属性情報であって、容易に画像を並び替えたり、絞り込んだり、するため、その情報量は小さく、テーマや日付など、限定された情報であった。そして、階層構造の情報を表示する場合、グラフィックメニューを操作する必要があった。
【０００９】
これらを鑑み、本発明の目的は、操作メニューを使用せずに多くの情報を表示する表示装置、表示方法および表示プログラムを提供することにある。
【課題を解決するための手段】
【００１０】
本発明の表示装置は、情報表示部と、操作部と、前記操作部による操作の内容を取得する操作情報取得部と、前記情報表示部の表示画面に表示している表示情報とその配置に関する情報を取得する画面情報取得部と、表示情報を格納する表示情報記憶部と、前記操作の内容と、前記操作が行われた前記表示画面領域に関する情報と、に基づき、前記表示情報記憶部に格納された表示情報のうち前記表示画面に表示する情報とその配置を決定する表示情報決定部を備える表示装置であって、前記表示情報は階層構造の情報を含み、前記表示情報決定部は所定の階層を選択し、前記階層に属する１以上のすべての前記表示情報をウィンドウとして、すべてが同時閲覧可能に表示し、あるいはウィンドウとして入れ替え可能に重ねて表示し、前記操作部の入替操作によって、前記ウインドウが入れ替わることを特徴とする。
【００１１】
本発明の表示方法は、階層構造を有する表示情報を表示画面上に表示させる表示方法であって、前記表示画面に対して実行された操作の内容を取得し、前記操作が実行された表示画面上の領域に関する情報を取得し、前記操作の内容および前記領域に関する情報の基づき、所定の階層を選択し、前記階層に属する１以上のすべての前記表示情報をウィンドウとしてすべてを同時閲覧可能に表示しあるいはウィンドウとして入れ替え可能に重ねて表示し、当該ウインドウを入れ替えて表示することを特徴とする。
【００１２】
本発明の表示プログラムは、階層構造を有する表示情報を表示画面上に表示させる表示プログラムであって、前記表示画面に対して実行された操作の内容を取得する処理と、前記操作が実行された表示画面上の領域に関する情報を取得する処理と、前記操作の内容および前記領域に関する情報の基づき、所定の階層を選択し、前記階層に属する１以上のすべての前記表示情報をウィンドウとしてすべてを同時閲覧可能に表示する処理、あるいはウィンドウとして入れ替え可能に重ねて表示し、当該ウインドウを入れ替えて表示する処理と、をコンピュータに実行させることを特徴とする。
【発明の効果】
【００１３】
本発明によれば、操作メニューを使用せずに多くの情報を表示し、閲覧することができる。
【図面の簡単な説明】
【００１４】
【図１】本発明の表示装置の構成図である。
【図２】メインウインドウの表示例である。
【図３】サブウインドウの表示例である。
【図４】サブウインドウの表示例である。
【図５】サブウインドウの表示例である。
【図６】サブウインドウの表示例である。
【図７】メインウインドウの表示例である。
【図８】サブウインドウの表示例である。
【発明を実施するための形態】
【００１５】
本発明の第１の実施形態について、図を参照して説明する。
【００１６】
図１は本発明の実施形態である表示装置の構成図である。
【００１７】
本発明の表示装置１００は、ユーザが操作する操作部１０１と、操作部１０１が操作された内容を取得する操作情報取得部１０２と、表示画面に表示している情報を取得する画面情報取得部１０３と、表示画面に表示する表示情報とその配置を決定する表示情報決定部１０４と、表示情報決定部１０４が決定した情報を表示する情報表示部１０５と、表示情報を記憶する表示情報記憶部１１０と、で構成される。
【００１８】
操作部１０１はホイール付マウス、ポインティングスティック付マウス、トラックボール、タッチパッド、タッチパネルなど、ユーザが操作する部位である。
【００１９】
操作情報取得部１０２は、操作部１０１が操作された内容を取得する部位である。例えば、ポップアップウインドウを表示するアイコン上にマウスカーソルを置く場合、ユーザが操作部１０１を操作し、マウスカーソルを移動させ、当該アイコン上に置いたという操作の内容を操作情報取得部１０２が取得する。タッチパネルであれば、ユーザが操作部１０１であるタッチパネルに表示されたアイコンを指で押下し、アイコンを押下したという操作の内容を操作情報取得部１０２が取得する。
【００２０】
画面情報取得部１０３は、表示画面に表示している表示情報やその配置に関する情報を取得する部位である。
【００２１】
表示情報決定部１０４は、操作情報取得部１０２が取得した情報と、画面情報取得部１０３が取得した情報と、表示記憶部１１０に記憶している表示情報と、に基づき、表示画面に表示する表示情報とその配置を決定する部位である。
【００２２】
情報表示部１０５は、表示情報決定部１０４が決定した情報を表示する表示画面などである。
【００２３】
表示情報記憶部１１０は、表示画面に表示する表示情報や、表示情報の階層構造などを記憶する部位である。表示情報記憶部１１０はＣＤ−ＲＯＭおよびＵＳＢメモリなどの記憶媒体や、ネットワークを介したサーバなどの記憶装置であってもよい。
【００２４】
なお、少なくとも上記操作情報取得部１０２、画面情報取得部１０３、表示情報決定部１０４は１つのＣＰＵによって構成され得る。
【００２５】
次に、表示装置１００の動作について、操作部１０１がホイール付マウスの場合で説明する。
【００２６】
図２は、メインウインドウの表示例および表示情報の階層構造を示す図である。
【００２７】
図２（１）は表示画面に表示しているメインウインドウ１０６１の表示例であり、破線部Ｌ１、Ｌ２、Ｌ３には、マウスカーソル１０６２が破線部内側に入ると、関連するサブウインドウが表示されるようになっている。図２（２）は破線部Ｌ１、Ｌ２、Ｌ３に関連する表示情報の階層構造を示す図であり、Ｌ１−ａ、Ｌ１−ｂ、・・・Ｌ３−ｂ１は階層構造における１つのサブウインドウに表示する表示情報を示し、例えば、Ｌ１に関連するサブウインドウに表示する表示情報は９つあることを示す。
【００２８】
ホイール付マウスの操作によりマウスカーソル１０６２を破線部Ｌ１に移動させ、サブウインドウを表示させた表示例を図３に示す。
【００２９】
表示装置１００は図３（１）に示すようにマウスカーソル１０６２が破線部Ｌ１に入ると、破線部Ｌ１に関連する１つ下の階層の全ての表示情報であるＬ１−ａ〜ｃを各々１つのサブウインドウ１０６３とし、サブウインドウ１０６３の枠の一部を重ねて表示する。操作部がタッチパネルの場合、破線部Ｌ１が押下されると、表示装置１００はサブウインドウを表示する。この時、表示装置１００はサブウインドウ１０６３の表示領域の右側端部に、下位の階層の表示情報が存在することを示すアイコン１０６４を表示する。また、サブウインドウを表示する手段は、ポップアップウインドウなど、公知技術なので、説明を省略する。
【００３０】
表示装置１００は、マウスホイールを回転させると、回転方向と、回転量と、に応じて、サブウインドウ１０６３の前後の表示を入れ替え、表示情報であるＬ１−ａ〜ｃが入れ替わる。この時の入れ替え対象の表示情報は、図３（２）の太線部分であるＬ１−ａ〜ｃである。また、最後部である、表示情報Ｌ１−ｃを表示しているサブウインドウ１０６３（以下、サブウインドウＬ１−ｃと記述）を最前部に移動させた後、更にマウスホイールを回転させると、表示装置１００は、サブウインドウＬ１−ａ〜ｃが重ならないように並べて表示し、その一例を図４に示す。
【００３１】
ここで、操作部がポインティングスティックであれば、ポインティングスティックを倒す方向と、倒している時間に応じて、サブウインドウの前後の表示を入れ替える。
【００３２】
操作部がタッチパッドやタッチパネルであれば、タッチパッドやタッチパネル上においてスライドした指の、スライドした方向と、スライドした長さに応じて、サブウインドウの前後の表示を入れ替える。
【００３３】
次に、サブウインドウＬ１−ｂを最前部に移動させ、マウスホイールが押下した後の表示例を図５に示す。
【００３４】
表示装置１００はマウスホイールが押下されると、図５（１）に示すようにマウスカーソル１０６２の色を変化させる。この時、マウスカーソル１０６２を点滅させたり、形状を変化させたり、してもよく、表示を切り替えたことが分かればよいので、ここで説明した手段に限定しない。
【００３５】
マウスホイールが押下された後にマウスホイールが正回転されると、表示装置１００は、マウスホイールが押下された時に最前部であったサブウインドウＬ１−ｂに関連する下位の階層の表示情報であるサブウインドウＬ１−ｂ１〜ｂ３を表示する。この時、さらにサブウインドウＬ１−ｂ１〜ｂ３に関連する下位の階層の表示情報があって、さらに正回転がされると、表示装置１００はサブウインドウＬ１−ｂ１〜ｂ３に関連する下位の階層の表示情報を表示するサブウインドウを表示する。
【００３６】
マウスホイールが逆回転されると、表示装置１００はサブウインドウＬ１−ｂを表示する。
【００３７】
この時の入れ替え対象の表示情報は、図５（２）の太線部分であるＬ１−ｂおよびＬ１−ｂ１〜ｂ３である。
【００３８】
このように、マウスホイールが押下された後にマウスホイールを回転させると、表示装置１００は、回転方向と、回転量と、に応じて、マウスホイールが押下された時の最前部のサブウインドウに関連する上位または下位のサブウインドウを表示する。
【００３９】
操作部がタッチパッドであれば、マウスホイールの押下の操作を代用する特定のキーなどを押下し、タッチパネルであれば、サブウインドウ部をダブルタップすることがマウスホイールの押下の操作の代用とする。
【００４０】
次に、サブウインドウＬ１−ｂ１〜ｂ３を表示させ、再度、マウスホイールが押下された後の表示例を図６に示す。
【００４１】
表示装置１００は、再度、マウスホイールが押下されると、マウスカーソル１０６２の表示を元の状態に戻す。その後、マウスホイールを回転させると、表示装置１００は回転方向と、回転量と、に応じて、サブウインドウＬ１−ｂ１〜ｂ３の前後を入れ替える。
【００４２】
また、前述したように、最後部のサブウインドウＬ１−ｂ３を最前部に移動させた後、更にマウスホイールを回転させると、表示装置はサブウインドウＬ１−ｂ１〜ｂ３を重ならないように並べて表示する。
【００４３】
以上のように、操作メニューを使用せずに多くの情報を表示し、閲覧することができる。
【００４４】
次に第２の実施形態について説明する。
【００４５】
第２の実施形態における表示装置の構成は、第１の実施形態と同じであるが、画面の表示内容が異なる。
【００４６】
図７は第２の実施形態におけるメインウインドウの表示例である。
【００４７】
図７に示すように、表示情報の階層構造を示す図を表示する階層構造表示１０６５をメインウインドウに設け、メインウインドウの下辺部に表示する。階層構造表示１０６５の表示は下辺部に限らず、表示情報の表示と重ならない位置に表示する。表示情報の表示と重ならないように、表示情報の表示に合わせて移動するとしてもよい。
【００４８】
階層構造表示１０６５に表示する階層構造にマウスカーソルを移動させると、第１の実施形態と同様に、表示装置１００は当該表示情報のサブウインドウを表示し、マウスカーソルを回転させると、回転方向と、回転量と、に応じて、表示装置１００はサブウインドウを入れ替える。また、第１の実施形態と同様に、最後部のサブウインドウを最前部に移動させた後、更にマウスホイールを回転させると、表示装置１００は重ねて表示しているサブウインドウを重ならないように並べて表示する。さらに、第１の実施形態と同様に、マウスホイールを押下し、正回転させると、表示装置１００は下位の階層の表示情報を表示し、逆回転させると、表示装置１００は上位の階層の表示情報を表示する。以降の動作は、第１の実施形態と同様であるので、説明を省略する。
【００４９】
操作部がタッチパネルの場合も同様に、階層構造表示１０６５に表示する階層構造の部分が押下されると、表示装置１００は当該表示情報のサブウインドウを表示し、タッチパネル上において、スライドした指の、スライドした方向と、スライドした長さに応じて、表示装置１００はサブウインドウの前後の表示を入れ替える。以降の動作は、第１の実施形態と同様であるので、説明を省略する。
【００５０】
図８は階層構造表示１０６５ａ部にマウスカーソルを移動させ、サブウインドウＬ１−ｂ１〜ｂ３を表示し、マウスホイールを押下した時の表示例である。操作部がタッチパネルの場合は、階層構造表示１０６５ａ部を押下し、サブウインドウＬ１−ｂ１〜ｂ３を表示し、サブウインドウ部をダブルタップした時の表示例である。
【００５１】
階層構造表示１０６５ａ部の階層構造の色が変化し、サブウインドウを表示している表示情報の階層および構成の情報と、マウスホイールを回転させると、上位もしくは下位の階層の表示情報を表示する状態であることが分かる。また、最前部のサブウインドウを表示している表示情報の部分を太枠で囲み、どの表示情報を最前部のサブウインドウに表示しているか、が分かるようにしてもよい。サブウインドウと、最前部のサブウインドウと、を表示している表示情報が分かればよいので、例えば、サブウインドウを表示している表示情報の階層および構成の情報を枠線で囲み、最前部のサブウインドウを表示している表示情報の色が変化する、としてもよく、ここで説明した手段に限定しない。
【００５２】
以上のように、表示情報の階層および構成が確認でき、また表示情報を選択することができ、さらにマウスホイールの回転操作によるサブウインドウの動作状態が確認できる。
【００５３】
上記の実施形態の一部または全部は、以下の付記のようにも記載されうるが、以下には限られない。
【００５４】
（付記１）前記操作部が円盤形状のホイールであって、前記入替操作が前記ホイールを回転させる操作であって、回転方向と、回転量と、に応じて、前記ウインドウの表示が入れ替わり、前記切替操作が前記ホイールを押下する操作であることを特徴とする請求項１乃至請求項４のいずれかに記載の表示装置。
【００５５】
（付記２）前記操作部が球体形状のトラックボールであって、前記入替操作が前記トラックボールを回転させる操作であって、回転方向と、回転量と、に応じて、前記ウインドウの表示が入れ替わり、前記切替操作が前記トラックボールを押下する操作であることを特徴とする請求項１乃至請求項４のいずれかに記載の表示装置。
【００５６】
（付記３）前記操作部が棒形状のポインティングスティックであって、前記入替操作が前記ポインティングスティックを倒す操作であって、倒す方向と、倒している時間と、に応じて、前記ウインドウの表示が入れ替わり、前記切替操作が前記ポインティングスティックを押下する操作であることを特徴とする請求項１乃至請求項４のいずれかに記載の表示装置。
【００５７】
（付記４）前記操作部が前記マウスカーソルと、前記ウインドウと、の操作を切り替える切替部を備えるタッチパッドであって、前記切替部は押下のたびに、前記マウスカーソルと、前記ウインドウと、の操作を切り替え、前記入替操作が前記タッチパッド上において指をスライドする操作であって、前記切替操作が前記タッチパッド部を押下する操作であることを特徴とする請求項１乃至請求項４のいずれかに記載の表示装置。
【００５８】
（付記５）前記操作部がタッチパネルであって、前記入替操作が前記タッチパネル上において指をスライドする操作であって、前記切替操作が前記タッチパネル上においてウインドウ部を押下する操作であることを特徴とする請求項１乃至請求項４のいずれかに記載の表示装置。
【００５９】
（付記６）前記ウインドウの上位または下位あるいはその両方に前記表示情報が存在することを示すアイコンを表示する処理をコンピュータに実行させることを特徴とする請求項９乃至請求項１０のいずれかに記載の表示プログラム。
【００６０】
（付記７）前記表示情報における任意の前記表示情報が選択可能な前記階層構造の情報と、前記ウインドウに表示している表示情報の階層および構成が確認できる情報と、所定の操作が実行中か否かが確認できる情報の少なくとも１つを表示する処理をコンピュータに実行させることを特徴とする請求項９乃至請求項１０及び付記６のいずれかに記載の表示プログラム。
【符号の説明】
【００６１】
１００    表示装置
１０１    操作部
１０２    操作情報取得部
１０３    画面情報取得部
１０４    表示情報決定部
１０５    情報表示部
１１０    表示情報記憶部
１０６１    メインウインドウ
１０６２    マウスカーソル
１０６３    サブウインドウ
１０６４    アイコン
１０６５    階層構造表示
【図１】
2014130407.tif 000003
【図２】
2014130407.tif 000004
【図３】
2014130407.tif 000005
【図４】
2014130407.tif 000006
【図５】
2014130407.tif 000007
【図６】
2014130407.tif 000008
【図７】
2014130407.tif 000009
【図８】
2014130407.tif 000010